(57)【要約】【課題】棚板の傾斜角度を所望の大きさに変更すること。【解決手段】前面開口１ｂを有したケース本体１の内部に前方に向けてブラケット部材２０が配設され、ブラケット部材２０にスライダ６０を介して取り付けられた補助側壁部材３０の上部に棚板４０が支持されることによって、棚板４０が前面開口１ｂを通じて前後方向に沿ってスライド可能な商品載置棚１０が構成されたショーケースにおいて、棚板４０は、前端部が棚支持軸４４を介して補助側壁部材３０に支持され、棚支持軸４４を中心に後端部が補助側壁部材３０に対して上下に揺動可能に配設されており、前端部が低くなる態様で傾斜する棚板４０の傾斜角度を、予め決められた角度範囲の中から択一的に選択された大きさに可変させる角度可変機構５０を備えている。【選択図】図２
2020005765.tif 000002
【特許請求の範囲】
【請求項１】
前面に開口を有したケース本体の内部に前方に向けてブラケット部材が配設され、該ブラケット部材にスライダを介して取り付けられた補助側壁部材の上部に棚板が支持されることによって、前記棚板が前記開口を通じて前後方向に沿ってスライド可能な商品載置棚が構成されたショーケースにおいて、
前記棚板は、前端部が棚支持軸を介して前記補助側壁部材に支持され、前記棚支持軸を中心に後端部が前記補助側壁部材に対して上下に揺動可能に配設されており、
前記前端部が低くなる態様で傾斜する前記棚板の傾斜角度を、予め決められた角度範囲の中から択一的に選択された大きさに可変させる角度可変機構を備えたことを特徴とするショーケース。
【請求項２】
前記角度可変機構は、前記傾斜角度を選択する選択ユニットが前記棚板の前端部に設けられたことを特徴とする請求項１に記載のショーケース。
【請求項３】
前記選択ユニットは、選択された傾斜角度の大きさに応じて傾斜姿勢が変化するアーム部を備え、
前記角度可変機構は、前記アーム部が前記ブラケット部材に外側に突出する態様で設けられた突部に載置される場合に、前記棚板を選択された傾斜角度に傾斜させることを特徴とする請求項２に記載のショーケース。
【発明の詳細な説明】
【技術分野】
【０００１】
本発明は、ケース本体の内部に商品を載置するための商品載置棚を備えたショーケースに関するものである。
【背景技術】
【０００２】
従来、例えばスーパーマーケットやコンビニエンスストア等の店舗では、販売商品を商品載置棚に載置させた状態でケース本体の内部に収納するようにしたショーケースが多く適用されている。商品載置棚は、例えば左右一対のブラケット部材の間に棚板を支持させることによって構成されたものである。この種のショーケースには、販売商品を見易くする目的で、あるいは商品載置棚の前方に載置された商品が取り出された場合に後方に載置された販売商品を前方に滑り出させる目的で、棚板の前端部が低くなるように傾斜して配置することができるものが提供されている（例えば、特許文献１参照）。
【先行技術文献】
【特許文献】
【０００３】
【特許文献１】特開２００３−２４５１７０号公報
【発明の概要】
【発明が解決しようとする課題】
【０００４】
ところで、上述したショーケースでは、棚板の傾斜角度が決められており、設置されたロケーション事情や寸法誤差等により傾斜角度を変更することができなかった。
【０００５】
本発明は、上記実情に鑑みて、棚板の傾斜角度を所望の大きさに変更することができるショーケースを提供することを目的とする。
【課題を解決するための手段】
【０００６】
上記目的を達成するため、本発明に係るショーケースは、前面に開口を有したケース本体の内部に前方に向けてブラケット部材が配設され、該ブラケット部材にスライダを介して取り付けられた補助側壁部材の上部に棚板が支持されることによって、前記棚板が前記開口を通じて前後方向に沿ってスライド可能な商品載置棚が構成されたショーケースにおいて、前記棚板は、前端部が棚支持軸を介して前記補助側壁部材に支持され、前記棚支持軸を中心に後端部が前記補助側壁部材に対して上下に揺動可能に配設されており、前記前端部が低くなる態様で傾斜する前記棚板の傾斜角度を、予め決められた角度範囲の中から択一的に選択された大きさに可変させる角度可変機構を備えたことを特徴とする。
【０００７】
また本発明は、上記ショーケースにおいて、前記角度可変機構は、前記傾斜角度を選択する選択ユニットが前記棚板の前端部に設けられたことを特徴とする。
【０００８】
また本発明は、上記ショーケースにおいて、前記選択ユニットは、選択された傾斜角度の大きさに応じて傾斜姿勢が変化するアーム部を備え、前記角度可変機構は、前記アーム部が前記ブラケット部材に外側に突出する態様で設けられた突部に載置される場合に、前記棚板を選択された傾斜角度に傾斜させることを特徴とする。
【発明の効果】
【０００９】
本発明によれば、棚板は、前端部が棚支持軸を介して補助側壁部材に支持され、棚支持軸を中心に後端部が補助側壁部材に対して上下に揺動可能に配設されており、角度可変機構が、前端部が低くなる態様で傾斜する棚板の傾斜角度を、予め決められた角度範囲の中から択一的に選択された大きさに可変させるので、棚板の傾斜角度を所望の大きさに変更することができるという効果を奏する。
【図面の簡単な説明】
【００１０】
【図１】図１は、本発明の実施の形態であるショーケースを示す断面側面図である。
【図２】図２は、図１に示した１つの商品載置棚を示す斜視図である。
【図３】図３は、図１に示した１つの商品載置棚の要部を拡大して示す拡大斜視図である。
【図４】図４は、図１に示した１つの商品載置棚の要部の分解斜視図である。
【図５】図５は、図２〜図４に示した商品載置棚の一部を拡大して示す正面図である。
【図６】図６は、図２〜図４に示した商品載置棚の要部を示す側面図である。
【図７】図７は、図２に示した角度可変機構を構成する選択ユニットの分解斜視図である。
【図８】図８は、棚板が収納状態にある商品載置棚の側面図である。
【図９】図９は、棚板が補充状態にある商品載置棚の側面図である。
【図１０】図１０は、図７に示した選択ユニットに対する選択動作を示す説明図である。
【図１１】図１１は、棚板が収納状態にある商品載置棚の側面図である。
【図１２】図１２は、図７に示した選択ユニットに対する選択動作を示す説明図である。
【図１３】図１３は、棚板が収納状態にある商品載置棚の側面図である。
【発明を実施するための形態】
【００１１】
以下に添付図面を参照して、本発明に係るショーケースの好適な実施の形態について詳細に説明する。
【００１２】
図１は、本発明の実施の形態であるショーケースを示す断面側面図である。ここで例示するショーケースは、例えばコンビニエンスストア等の店舗において販売商品をケース本体１の内部に収納するようにしたものである。本実施の形態では特に、要冷蔵商品を収納するための冷蔵用ショーケースを例示している。
【００１３】
すなわち、このショーケースでは、ケース本体１の内部に背面板２を設けることによって背面板２とケース本体１の後壁１ａとの間に通風ダクト３を構成するとともに、背面板２よりも前方に収納室４を構成している。通風ダクト３の内部には、蒸発器５や送風ファン６を配設している。蒸発器５は、図示していないコンデンシングユニットとともに冷凍サイクルを構成し、通過する空気との間において熱交換を行うものである。このショーケースでは、図示せぬコンデンシングユニット及び送風ファン６を駆動すれば、蒸発器５を通過した空気が通風ダクト３を通じて収納室４に循環供給され、収納室４が所望の冷蔵温度に維持されることになる。
【００１４】
ケース本体１は、前面に開口（以下、前面開口ともいう）１ｂを有した箱状を成すもので、収納室４に複数段の商品載置棚１０を備えている。収納室４の各段の商品載置棚１０は、同様の構成を有したものであるから、以下では１つの商品載置棚１０について説明を行う。
【００１５】
図２〜図４は、それぞれ図１に示した１つの商品載置棚１０を示すもので、図２は斜視図、図３は要部を拡大して示す拡大斜視図、図４は要部の分解斜視図である。商品載置棚１０は、図２〜図４に示すように、ブラケット部材２０、補助側壁部材３０、棚板４０及び角度可変機構５０を備えて構成してある。
【００１６】
ブラケット部材２０は、背面板２の左右両側の前面に取り付けた棚支柱７から前方に突出するように配設したものである。つまり、ブラケット部材２０は、ケース本体１の内部である収納室４に互いに離隔する態様で前方に向けて配設した左右一対のものである。以下においては便宜上、２つのブラケット部材２０において互いに近接した方向を内側と称し、互いに離反した方向を外側と称して説明する。
【００１７】
ブラケット部材２０は、板金等から形成したものであり、側壁部２１及び上壁部２２を一体に成形することによって構成してある。側壁部２１は、ブラケット部材２０の主要な構成要素であり、前後方向が長手方向となる長尺状部分である。この側壁部２１は、後端部の上下寸法が該後端部よりも前方側の領域の上下寸法よりも大きく形成してあり、該後端部の後端部分には後方に突出する複数の係止片２１ａが形成してある。これら係止片２１ａは、棚支柱７の前面に設けられた図示せぬ係止孔の任意に挿入することが可能である。係止片２１ａを係止孔に挿入した場合には、側壁部２１の後端部分が棚支柱７の前面に当接することになり、ブラケット部材２０を棚支柱７の任意の高さに略水平の片持ち状態で支持させることが可能である。
【００１８】
この側壁部２１の内側には、図５にも示すように、スライダ６０の外側構成要素６１が取り付けてある。スライダ６０は、従来公知のものであり、外側構成要素６１に対して該スライダ６０を構成する内側構成要素６２が前後方向にスライドすることを許容するものである。かかるスライダ６０については、適宜図示から省略する。上壁部２２は、側壁部２１の上端縁部より内側に向けて延在する水平延在部分である。
【００１９】
補助側壁部材３０は、板金等から形成したものであり、前後方向が長手方向となる長尺状部材である。この補助側壁部材３０の外側には、スライダ６０の内側構成要素６２が取り付けてある。これにより、補助側壁部材３０は、ブラケット部材２０に対して前後方向に沿ってスライド移動可能である。
【００２０】
棚板４０は、販売商品が載置される部分であり、矩形状を成す棚枠４１の内部に載置板４２を支持させることによって構成してある。載置板４２は、例えばガラス板のように透明な矩形状の板状体である。
【００２１】
棚枠４１は、それぞれ板金等から形成した前枠部４１１、後枠部４１２及び左右一対の側枠部４１３を四周枠組みして構成したものである。かかる棚枠４１を構成する側枠部４１３には、図５及び図６に示すように、支持片部４３が設けてある。
【００２２】
支持片部４３は、前後方向が長手方向となる長尺状部材であり、側枠部４１３の内側下部に取り付けてある。この支持片部４３の前端部分の外側には、補助側壁部材３０の外側に配置される態様で下方に延在する下延部４３ａが形成してある。下延部４３ａには、図示せぬ棚支持貫通孔が形成してある。
【００２３】
このような棚板４０は、棚支持貫通孔を外側から貫通する棚支持軸４４が補助側壁部材３０の前端部分に貫通して取り付けられることにより、棚支持軸４４を中心に後端部が補助側壁部材３０に対して上下に揺動可能に配設してある。
【００２４】
このように棚板４０は、ブラケット部材２０の内側にスライダ６０を介して設けられた補助側壁部材３０に取り付けられることで、ブラケット部材２０間に架設され、図１に示したように、最も後方にスライドした収納状態と、最も前方にスライドした補充状態との間で、前面開口１ｂを通じて前後方向にスライド可能である。
【００２５】
角度可変機構５０は、選択ユニット５０ａと突部５０ｂとを備えて構成してある。選択ユニット５０ａは、図７に示すように、ベース部５１及びアーム部５２を備えて構成してある。ベース部５１は、例えば板金等から形成したものであり、上下方向に沿って延在するベース基部５１１と、ベース基部５１１の上端縁部より内側に向けて水平延在するベース天壁部５１２とを有している。
【００２６】
ベース天壁部５１２は、棚板４０の側枠部４１３の外側前端部分に例えば溶接等により接合されている。つまり、選択ユニット５０ａは、棚板４０の前端部に設けられている。
【００２７】
ベース基部５１１は、前端部の上下寸法が該前端部よりも後方側となる後端部の上下寸法よりも大きく形成してあり、前端部に選択孔５１３が形成してあり、後端部に連結孔５１４が形成してある。
【００２８】
選択孔５１３は、上下方向に沿って延在する異形孔である。この選択孔５１３は、詳細は後述するが、棚板４０の傾斜角度を選択するための孔である。かかる選択孔５１３は、連結孔５１４を中心として上下に円弧状に延在する連通部５１３ａと、この連通部５１３ａよりそれぞれ前方及び後方に向けて延在する複数の規制部５１３ｂとが連続して形成されて構成してある。ここで、連通部５１３ａより前方に向けて延在する規制部５１３ｂは、前方に向かうに連れて漸次上方に傾斜延在しており、連通部５１３ａより後方に向けて延在する規制部５１３ｂは、後方に水平延在している。これら規制部５１３ｂは、最も上方に形成されたものが傾斜角度が０°となるように形成してあり、下方に向かうに連れて傾斜角度が大きくなるように形成してある。
【００２９】
アーム部５２は、例えば板金等から形成したものであり、前後方向が長手方向となる長尺板状部材である。このアーム部５２には、前端部に異形状の長孔５２１が形成され、後端部に軸支孔５２２が形成してある。
【００３０】
かかるアーム部５２は、ベース部５１の連結孔５１４を外側より貫通する段付きネジ等の連結ネジ５３が軸支孔５２２を貫通して図示せぬナットに螺合することにより、ベース部５１に対して、該連結ネジ５３の中心軸回りに揺動可能に軸支されている。またアーム部５２は、ベース部５１の選択孔５１３を外側より貫通する段付きネジ等の選択ネジ５４が長孔５２１を貫通してナット５５に螺合することにより、ベース部５１に連係している。
【００３１】
そのような選択ユニット５０ａにおいては、選択ネジ５４が最も上方の規制部５１３ｂに配置される場合、アーム部５２は、前後方向に沿って水平に延在する水平姿勢となり、該規制部５１３ｂよりも下方の規制部５１３ｂに配置される場合、アーム部５２は、前方が漸次下方に傾斜する態様で延在する傾斜姿勢となる。このアーム部５２の傾斜姿勢は、下方の規制部５１３ｂに選択ネジ５４が配置されるほど大きくなる。
【００３２】
突部５０ｂは、ブラケット部材２０の側壁部２１の前方部分の外側において、外方に突出する態様で設けてある。かかる突部５０ｂは、棚板４０が収納状態となる場合に、水平姿勢となるアーム部５２には接せず、傾斜姿勢となるアーム部５２に接する個所に設けてある。
【００３３】
以上のような構成を有するショーケースにおいては、選択孔５１３の最も上方の規制部５１３ｂに選択ネジ５４を配置した場合、上述したようにアーム部５２が水平姿勢となる。この状態で棚板４０を収納状態にさせると、図８に示すように、アーム部５２が突部５０ｂと接せず、棚板４０は、側枠部４１３が補助側壁部材３０の上端に載置された傾斜角度０°の水平延在姿勢になる。
【００３４】
このような水平延在姿勢にある棚板４０を、前端部が低くなる態様で傾斜させる場合には、図９に示すように、棚板４０を前方にスライドさせて補充状態にさせる。そして、最も上方の規制部５１３ｂに配置された選択ネジ５４を、図１０に示すように、連通部５１３ａを通じて移動させて下方の任意の規制部５１３ｂに配置させる。これによりアーム部５２は、前方が漸次下方に傾斜する傾斜姿勢となる。
【００３５】
そして、棚板４０を収納状態にさせると、図１１に示すように、アーム部５２が突部５０ｂに接して載置されることにより、棚板４０は、前端部が低くなる態様で所定の傾斜角度に傾斜した傾斜延在姿勢となる。
【００３６】
ところで、最も上方に規制部５１３ｂに配置された選択ネジ５４を、図１２に示すように、連通部５１３ａを通じて移動させて図１０に示した任意の規制部５１３ｂよりも下方の規制部５１３ｂに配置させると、アーム部５２は、より前方が漸次下方に傾斜する傾斜姿勢となる。
【００３７】
そして、棚板４０を収納状態にさせると、図１３に示すように、アーム部５２が突部５０ｂに接して載置されることにより、棚板４０は、図１１に示したものよりもより大きな傾斜角度に傾斜した傾斜延在姿勢となる。
【００３８】
このように本実施の形態であるショーケースにおいては、角度可変機構５０が、棚板４０の傾斜角度を、予め決められた角度範囲の中から択一的に選択された大きさに可変させることができる。
【００３９】
以上説明したように、本発明の実施の形態であるショーケースによれば、商品載置棚１０を構成する棚板４０が、前端部が棚支持軸４４を介して補助側壁部材３０に支持され、棚支持軸４４を中心に後端部が補助側壁部材３０に対して上下に揺動可能に配設されており、角度可変機構５０が、棚板４０の傾斜角度を、予め決められた角度範囲の中から択一的に選択された大きさに可変させるので、棚板４０の傾斜角度を所望の大きさに変更することができる。
【００４０】
上記ショーケースによれば、角度可変機構５０を構成する傾斜角度を選択する選択ユニット５０ａが、棚板４０の前端部に設けられているので、棚板４０を前方にスライドさせることで容易に傾斜角度の選択動作を行うことができ、利便性の向上を図ることができる。
【００４１】
上記ショーケースによれば、角度可変機構５０を構成する選択ユニット５０ａが、選択された傾斜角度の大きさに応じて傾斜姿勢が変化するアーム部５２を備え、角度可変機構５０が、アーム部５２がブラケット部材２０に外側に突出する態様で設けられた突部５０ｂに載置される場合に、棚板４０を選択された傾斜角度に傾斜させるので、ブラケット部材２０間における商品を載置するための有効容積には影響を与えない。従って、商品を載置するための有効容積が低減されることを抑制することができる。
【００４２】
上記ショーケースによれば、選択ユニット５０ａを構成するベース基部５１１に設けられた選択孔５１３は、連通部５１３ａに対して複数の規制部５１３ｂがそれぞれ前方及び後方に向けて延在する態様で形成してあるので、上記角度範囲の中から択一的に選択される傾斜角度を増大させることができ、傾斜角度の選択の幅を広げることができる。これによっても利便性の向上を図ることができる。
【００４３】
以上、本発明の好適な実施の形態について説明したが、本発明はこれに限定されるものではなく、種々の変更を行うことができる。
【００４４】
上述した実施の形態では、角度可変機構５０を構成する選択ユニット５０ａにおいて、選択ネジ５４を選択孔５１３の内部で移動させることによりアーム部５２を傾斜姿勢にさせていたが、本発明においては、アーム部５２を傾斜姿勢にさせる手法はこれに限定されない。すなわち、スライド可能な操作ツマミを設け、当該操作ツマミをスライドさせることによりアーム部の傾斜姿勢を変化させるようにしてもよい。
【符号の説明】
【００４５】
１  ケース本体
１ｂ  前面開口
４  収納室
１０  商品載置棚
２０  ブラケット部材
３０  補助側壁部材
４０  棚板
４１  棚枠
４２  載置板
４３  支持片部
４４  棚支持軸
５０  角度可変機構
５０ａ  選択ユニット
５０ｂ  突部
５１  ベース部
５１３  選択孔
５２  アーム部
５４  選択ネジ
６０  スライダ
【図１】
2020005765.tif 000003
【図２】
2020005765.tif 000004
【図３】
2020005765.tif 000005
【図４】
2020005765.tif 000006
【図５】
2020005765.tif 000007
【図６】
2020005765.tif 000008
【図７】
2020005765.tif 000009
【図８】
2020005765.tif 000010
【図９】
2020005765.tif 000011
【図１０】
2020005765.tif 000012
【図１１】
2020005765.tif 000013
【図１２】
2020005765.tif 000014
【図１３】
2020005765.tif 000015